(57)【要約】【課題】  本発明は、放電開始電圧を低減させると同時に、主放電の放電距離の長さを増加させて高効率を実現することができるプラズマディスプレイパネルを提供する。【解決手段】  本発明の一実施例によるプラズマディスプレイパネルは、第１基板及び第２基板が互いに対向配置され、これらの間の空間が複数の放電セルに区画される。前記第１基板に、第１方向に沿ってアドレス電極が形成される。そして、前記各放電セル内に、蛍光体層が形成される。前記第１基板及び第２基板の間の空間に、前記第１方向と交差する第２方向に沿って第１電極及び第２電極が形成される。第１電極及び第２電極は、その間に空間をおいて互いに対向配置される。この時、前記アドレス電極は、前記各放電セルの放電空間に対応して形成される第１部分、及び前記第１部分を電気的に連結する第２部分を含み、前記第１部分の幅及び前記第２部分の幅は互いに異なるように形成される。【選択図】  図１
2006147530.tif 000002
【特許請求の範囲】
【請求項１】
所定の間隔をおいて対向配置され、これらの間の空間が複数の放電セルに区画される第１基板及び第２基板；
前記第１基板に、第１方向に沿って延びて形成されるアドレス電極；
前記各放電セル内に形成される蛍光体層；及び
前記第１基板及び前記第２基板の間の空間に、前記第１方向と交差する第２方向に沿って延びて形成され、前記各放電セルに共に対応して前記第１基板から離れる方向に前記第２基板に向かって拡張されて互いの間に空間をおいて対向するように形成される第１電極及び第２電極；を含み、
前記アドレス電極は、前記各放電セルの放電空間に対応して形成される第１部分、及び前記第１部分を電気的に連結する第２部分を含み、
前記アドレス電極は、前記第１部分の幅及び前記第２部分の幅が互いに異なることを特徴とするプラズマディスプレイパネル。
【請求項２】
前記アドレス電極は、前記第２部分の幅より前記第１部分の幅がより大きく形成されることを特徴とする請求項１に記載のプラズマディスプレイパネル。
【請求項３】
前記アドレス電極の第１部分は、平面の形状が四角形であることを特徴とする請求項１に記載のプラズマディスプレイパネル。
【請求項４】
前記第１電極は、アドレス期間の間に順次にスキャンパルス電圧の印加を受けて前記アドレス電極との間でアドレス放電を起こして点灯される放電セルを選択し、前記第２電極は、前記第１電極と共に維持放電を起こし、
前記第２基板の前面から見る時、前記アドレス電極の第１部分及び前記第１電極が第１間隔をおいて離隔し、前記アドレス電極の第１部分及び前記第２電極が前記第１間隔より大きい第２間隔をおいて離隔することを特徴とする請求項１に記載のプラズマディスプレイパネル。
【請求項５】
前記第１電極及び前記第２電極の外面には誘電層が絶縁構造に形成されることを特徴とする請求項１に記載のプラズマディスプレイパネル。
【請求項６】
前記第１基板及び前記第２基板の間の空間は隔壁によって区画され、
前記隔壁は、前記第１基板に隣接して形成される第１隔壁層、及び前記第２基板に隣接して形成される第２隔壁層を含むことを特徴とする請求項１に記載のプラズマディスプレイパネル。
【請求項７】
前記第１電極及び前記第２電極は、前記第１隔壁層及び前記第２隔壁層の間に配置される誘電層の内部に位置することを特徴とする請求項６に記載のプラズマディスプレイパネル。
【請求項８】
前記第１電極及び前記第２電極は、前記各放電セルに各々一対が対応するように配置されることを特徴とする請求項１に記載のプラズマディスプレイパネル。
【請求項９】
前記第１電極及び前記第２電極のうちの少なくとも一つの電極は、前記第１方向に隣接した一対の放電セルで共有されることを特徴とする請求項１に記載のプラズマディスプレイパネル。
【請求項１０】
所定の間隔をおいて対向配置され、これらの間の空間が複数の放電セルに区画される第１基板及び第２基板；
前記第１基板に、第１方向に沿って延びて形成されるアドレス電極；
前記各放電セル内に形成される蛍光体層；
前記第１基板及び前記第２基板の間の空間に、前記第１方向と交差する第２方向に沿って延びて形成される第１電極；及び
前記第１基板及び前記第２基板の間の空間に、一対の前記第１電極の間に前記第２方向に沿って延びて形成される第２電極；を含み、
前記第１電極及び前記第２電極は、前記第１基板から離れた方向に前記第２基板に向かって拡張されて互いの間に空間をおいて対向するように形成され、
前記第１電極は、前記第２方向に沿って形成される第１部分、及び前記第１部分から前記第２電極に向かって突出する第２部分を含むことを特徴とするプラズマディスプレイパネル。
【請求項１１】
前記第１電極の第１部分は、前記第１方向に隣接した一対の放電セルで共有されることを特徴とする請求項１０に記載のプラズマディスプレイパネル。
【請求項１２】
前記第１電極の第２部分は、前記第２方向に隣接した一対の放電セルで共有されることを特徴とする請求項１０に記載のプラズマディスプレイパネル。
【請求項１３】
前記第１電極及び前記第２電極の外面には誘電層が絶縁構造に形成されることを特徴とする請求項１０に記載のプラズマディスプレイパネル。
【請求項１４】
前記第１基板及び前記第２基板の間の空間は隔壁によって区画され、
前記隔壁は、前記第１基板に隣接して形成される第１隔壁層、及び前記第２基板に隣接して形成される第２隔壁層を含むことを特徴とする請求項１０に記載のプラズマディスプレイパネル。
【請求項１５】
前記第１電極及び前記第２電極は、前記第１隔壁層及び前記第２隔壁層の間に配置される誘電層の内部に位置することを特徴とする請求項１４に記載のプラズマディスプレイパネル。
【請求項１６】
前記第１電極の第２部分は、前記第１方向に沿って前記各放電セルの両側に形成され、一対が対向して形成されることを特徴とする請求項１０に記載のプラズマディスプレイパネル。
【請求項１７】
前記第１方向に測定した前記第１電極及び前記第２電極の間の距離は、前記放電セルの両側より前記放電セルの中心部でより大きく形成されることを特徴とする請求項１６に記載のプラズマディスプレイパネル。
【請求項１８】
前記第１電極は、前記各放電セルの三側面を囲んで形成されることを特徴とする請求項１６に記載のプラズマディスプレイパネル。
【請求項１９】
前記第１電極の第２部分は、均一な線幅を有することを特徴とする請求項１０に記載のプラズマディスプレイパネル。
【請求項２０】
前記第１電極の第２部分は、端部から前記第１部分に向かって線幅が漸進的に大きくなることを特徴とする請求項１０に記載のプラズマディスプレイパネル。
【請求項２１】
前記第２電極に対向する前記第１電極の対向面は曲面からなることを特徴とする請求項２０に記載のプラズマディスプレイパネル。
【請求項２２】
前記第２電極には前記第１電極の第１部分に向かって突出する突出部が形成されることを特徴とする請求項１０に記載のプラズマディスプレイパネル。
【請求項２３】
前記第１電極の第２部分の各々は、前記第１方向に沿って前記各放電セルの両側に形成され、一対が対向して形成され、
前記第２電極の突出部は、前記各放電セルで対向する前記第１電極の第２部分の間に対応して配置されることを特徴とする請求項２２に記載のディスプレイパネル。
【請求項２４】
前記第２電極の各突出部は、平面の形状が四角形、半円、または半楕円形であることを特徴とする請求項２２に記載のプラズマディスプレイパネル。
【請求項２５】
前記第１電極は、前記各放電セルの両側に各々位置し、前記第２電極は、前記各放電セルを貫通して形成されることを特徴とする請求項１０に記載のプラズマディスプレイパネル。
【発明の詳細な説明】
【技術分野】
【０００１】
本発明はプラズマディスプレイパネルに関し、より詳しくは、低圧駆動及び高輝度を実現することができる構造のプラズマディスプレイパネルに関する。
【背景技術】
【０００２】
一般に、プラズマディスプレイパネル（plasma display panel；ＰＤＰ）は、気体放電によって形成されたプラズマから放射される真空紫外線（vacuum ultraviolet；ＶＵＶ）が蛍光体を励起させることによって発生する可視光を利用して映像を表示するディスプレイ素子である。このようなプラズマディスプレイパネルは、高解像度で大画面の実現が可能であるため、次世代の薄型表示装置として脚光を浴びている。
【０００３】
プラズマディスプレイパネルの一般的な構造は、３電極面放電型構造である。３電極面放電型構造は、二つの電極からなる表示電極が形成される前面基板、及び前記前面基板から所定の距離だけ離隔して、アドレス電極が形成される背面基板を含む。そして、両基板の間の空間は隔壁によって複数の放電セルに区画され、放電セルの内部には背面基板側に蛍光体層が形成されて、各放電セル内に放電ガスが注入される。
【０００４】
放電の有無は表示電極のうちの一つの電極及びアドレス電極の間でのアドレス放電によって決定され、輝度を表示する維持放電は同一面上に位置する表示電極によって行われる。つまり、従来のプラズマディスプレイパネルにおいて、アドレス放電は対向放電によって発生し、維持放電は面放電によって発生する。
【０００５】
しかし、表示電極及びアドレス電極の間の距離が二つの表示電極の間の距離より大きいため、アドレス放電の放電開始電圧が表示放電の放電開始電圧より小さい値を有する。これは、アドレス放電が対向放電によって誘導されるため、面放電による維持放電より小さい放電開始電圧を有するのであるといわれている。したがって、維持放電を対向放電に誘導することができるプラズマディスプレイパネルは、従来のプラズマディスプレイパネルより高効率を実現することができる。
【０００６】
一方、プラズマディスプレイパネルで起こる放電は、シース（sheath）領域及びポジティブコラム（positive column）領域からなる。シース領域は、電極または誘電層を囲んで形成される非発光領域で、電圧のほとんどが消耗される領域であり、ポジティブコラム領域は、非常に小さい電圧でプラズマ放電を活発に起こすことができる領域である。したがって、プラズマディスプレイパネルの効率を高めるためには、ポジティブコラム領域を増加させることが重要である。シース領域の長さは放電ギャップと関係がないので、ポジティブコラム領域を増加させるための一つの方法として、放電距離の長さを増加させる方法がある。しかし、放電距離の長さを増加させるために放電ギャップを大きくすると、放電開始電圧が上昇する問題がある。
【０００７】
また、各放電セルに充填される放電ガスは、Ｘｅガスの分圧が高いほど効率が向上するといわれているが、このようなＸｅガスの分圧を増加させると、放電開始電圧が低下する問題がある。
【０００８】
このような理由のため、従来のプラズマディスプレイパネルでは、低い放電開始電圧及び高効率を同時に実現することができないという問題があった。
【発明の開示】
【発明が解決しようとする課題】
【０００９】
本発明の目的は、維持放電を対向放電に誘導して放電開始電圧を低減させると同時に、主放電の放電距離の長さを増加させて高効率を実現することができる、プラズマディスプレイパネルを提供することにある。
【課題を解決するための手段】
【００１０】
本発明の一実施例によるプラズマディスプレイパネルは、第１基板及び第２基板が所定の間隔をおいて互いに対向配置され、これらの間の空間が複数の放電セルに区画される。前記第１基板に、第１方向に沿って延びるアドレス電極が形成される。そして、前記各放電セル内に、蛍光体層が形成される。前記第１基板及び前記第２基板の間の空間に、前記第１方向と交差する第２方向に沿って延びる第１電極及び第２電極が形成される。第１電極及び第２電極は、前記第１基板から離れる方向に前記第２基板に向かって拡張されて互いの間に空間をおいて互いに対向配置される。この時、前記アドレス電極は、前記各放電セルの放電空間に対応して形成される第１部分、及び前記第１部分を電気的に連結する第２部分を含み、前記第１部分の幅及び前記第２部分の幅は、互いに異なるように形成される。
【００１１】
前記アドレス電極は、前記第２部分の幅より前記第１部分の幅がより大きく形成されることができる。前記アドレス電極の第１部分は、平面の形状が四角形からなることができる。
【００１２】
前記第１電極は、アドレス期間の間に順次にスキャンパルス電圧の印加を受けて前記アドレス電極との間でアドレス放電を起こして点灯される放電セルを選択し、前記第２電極は、前記第１電極と共に維持放電を起こすことができる。前記第２基板の前面から見る時、前記アドレス電極の第１部分及び前記第１電極は第１間隔をおいて離隔し、前記アドレス電極の第１部分及び前記第２電極は前記第１間隔より大きい第２間隔をおいて離隔することができる。
【００１３】
前記第１電極及び前記第２電極の外面には誘電層が絶縁構造に形成されることができる。
【００１４】
前記第１基板及び前記第２基板の間の空間は、前記第１基板に隣接して形成される第１隔壁層及び前記第２基板に隣接して形成される第２隔壁層によって区画され、前記第１電極及び前記第２電極の外面に形成される誘電層が前記第１隔壁層及び前記第２隔壁層の間に配置される。
【００１５】
前記第１電極及び前記第２電極は、前記各放電セルに各々一対が対応するように配置されたり、前記第１電極及び前記第２電極のうちの少なくとも一つの電極が前記第１方向に隣接した一対の放電セルで共有されることができる。
【００１６】
本発明の他の実施例によるプラズマディスプレイパネルは、第１基板及び第２基板が所定の間隔をおいて互いに対向配置され、これらの間の空間が複数の放電セルに区画される。前記第１基板に、第１方向に沿ってアドレス電極が延びて形成される。そして、前記各放電セル内に、蛍光体層が形成される。前記第１基板及び前記第２基板の間の空間に、前記第１方向と交差する第２方向に沿って第１電極が形成される。そして、前記一対の第１電極の間に、前記第２方向に沿って第２電極が延びて形成される。前記第１電極及び前記第２電極は、前記第１基板から離れた方向に前記第２基板に向かって拡張されて、互いの間に空間をおいて対向するように形成される。この時、前記第１電極は、前記第２方向に沿って形成される第１部分、及び前記第１部分から前記第２電極に向かって突出する第２部分を含むことができる。
【００１７】
前記第１電極の第１部分は、前記第１方向に隣接した一対の放電セルで共有され、前記第１電極の第２部分は、前記第２方向に隣接した一対の放電セルで共有される。
【００１８】
前記第１電極及び前記第２電極の外面には誘電層が絶縁構造に形成されることができる。
【００１９】
前記第１基板及び前記第２基板の間の空間は、前記第１基板に隣接して形成される第１隔壁層、及び前記第２基板に隣接して形成される第２隔壁層によって区画され、前記第１電極及び前記第２電極の外面に形成される誘電層が前記第１隔壁層及び前記第２隔壁層の間に配置される。
【００２０】
前記第１電極の第２部分の各々は、前記第１方向に沿って前記各放電セルの両側に形成され、一対が対向して形成されることができる。したがって、前記第１電極及び前記第２電極の間の距離を前記第１方向に沿って測定する時、前記放電セルの両側より前記放電セルの中心部でより大きく形成されることができる。前記第１電極は、前記各放電セルの三側面を囲んで形成されることができる。
【００２１】
前記第１電極の第２部分は、均一な線幅を有することができる。または、前記第１電極の第２部分は、端部から前記第１部分に向かって線幅が漸進的に大きくなることができる。この時、前記第２電極に対向する第１電極の対向面は曲面からなることができる。
【００２２】
前記第２電極には前記第１電極の第１部分に向かって突出する突出部が形成されることができる。前記第２電極の突出部は、前記各放電セルで対向する前記第１電極の第２部分の間に対応して配置される。前記第２電極の各突出部は、平面の形状が四角形、半円または半楕円形からなることができる。
【００２３】
前記第１電極は、前記第２方向に沿って前記各放電セルの両側に各々形成されることができ、前記第２電極は、前記各放電セルを貫通して形成されることができる。
【発明の効果】
【００２４】
本発明によれば、維持放電を対向放電に誘導して放電開始電圧を低減させると同時に、主放電の放電距離の長さを増加させて高効率を実現することができる、プラズマディスプレイパネルを提供することができる。
【発明を実施するための最良の形態】
【００２５】
以下、添付した図面を参照して、本発明の実施例を詳細に説明する。
【００２６】
図１は本発明の第１実施例によるプラズマディスプレイパネルを示した部分分解斜視図であり、図２は図１のプラズマディスプレイパネルを結合した状態でII-II線に沿って切断した部分断面図である。
【００２７】
図１を参照すれば、本実施例によるプラズマディスプレイパネルは、第１基板１０（以下、背面基板とする）及び第２基板２０（以下、前面基板とする）が所定の間隔をおいて対向配置され、この背面基板１０及び前面基板２０の間の空間は複数の放電セル３８に区画される。
【００２８】
放電セル３８内には、紫外線を吸収して可視光を放出する赤色、緑色、及び青色の蛍光体層１９、２９が隔壁面及び底面に沿って形成され、プラズマ放電を起こすことができるように放電ガス（一例として、ゼノン（Ｘｅ）、ネオン（Ｎｅ）などを含む混合ガス）が充填されている。
【００２９】
このようなプラズマディスプレイパネルをより詳細に説明する。
【００３０】
まず、前面基板２０に対向する背面基板１０の一面には、一方向（図面のｙ軸方向）に沿ってアドレス電極１２が形成され、これらアドレス電極１２を覆って背面基板１０の内面全体に誘電層１４が形成される。アドレス電極１２は、隣接するものが互いに所定の間隔を維持して形成される。このようなアドレス電極１２については、後に図３を参照してより詳細に説明する。
【００３１】
そして、第１基板１０及び第２基板２０の間の空間には、放電セル３８を区画するための隔壁１６、２６が形成される。このような隔壁１６、２６は、背面基板１０に隣接して前面基板２０に向かって突出する第１隔壁層１６（以下、背面板隔壁とする）、及び前面基板２０に隣接して背面基板１０に向かって突出する第２隔壁層２６（以下、前面板隔壁とする）を含む。
【００３２】
背面板隔壁１６は、背面基板１０に形成される誘電層１４上に形成される。このような背面板隔壁１６は、アドレス電極１２と平行な方向（図面のｙ軸方向）に配置される第１隔壁部材１６ａ、及びこの隔壁部材１６ａと交差する方向（図面のｘ軸方向）に形成され、背面基板１０側で各放電セル１８を独立的な放電空間に区画する第２隔壁部材１６ｂを含む。
【００３３】
そして、前面板隔壁２６は、前記第１隔壁部材１６ａと対応する形状からなる第３隔壁部材２６ａ、及び前記第２隔壁部材２６ａと対応する形状からなる第４隔壁部材２６ｂを含む。つまり、第３隔壁部材２６ａ及び第４隔壁部材２６ｂは、互いに交差する方向に形成されて、背面基板１０側に形成された放電セル１８と対応する放電セル２８を前面基板２０側に形成する。
【００３４】
前記背面板隔壁１６によって区画される放電セル１８及び前面板隔壁２６によって区画される放電セル２８が実質的に一つの放電セル３８をなす。
【００３５】
本実施例では、背面板隔壁１６及び前面板隔壁２６が互いに交差する隔壁部材１６ａ、１６ｂ、２６ａ、２６ｂを含んで形成されることを例示して説明したが、本発明はこれに限定されず、多様な形状の隔壁が適用でき、これも本発明の範囲に属する。そして、本実施例では、背面板隔壁１６及び前面板隔壁２６が全て形成されたことを例示して説明したが、本発明はこれに限定されない。
【００３６】
このような背面基板１０側の放電セル１８及び前面基板２０側の放電セル２８の内側には、第１蛍光体層１９及び第２蛍光体層２９が各々形成される。第１蛍光体層１９は、背面板隔壁１６をなす隔壁部材１６ａ、１６ｂの側面及びその間で背面基板１０と隣接した底面に形成され、第２蛍光体層２９は、前面板隔壁２６をなす隔壁部材２６ａ、２６ｂの側面及びその間で前面基板２０と隣接した底面に形成されることができる。
【００３７】
第１及び第２蛍光体層１９、２９の各々は、背面基板１０側の放電セル及び前面基板２０側の放電セルの内部で真空紫外線を吸収して、前面基板２０側に向かう可視光を放出する。この時、第２蛍光体層２９は、このような可視光を透過させるので、真空紫外線の損失を最少化するために、第２蛍光体層２９を第１蛍光体層１９より薄く形成することができる。
【００３８】
背面板隔壁１６によって形成される放電セル１８及びこれに対向して前面板隔壁２６によって形成される放電セル２８は、実質的に一つの放電セル３８であるので、これらの内部の各々に形成される第１蛍光体層１９及び第２蛍光体層２９は、気体放電で発生する真空紫外線の衝突によって同一な色の可視光を発光させるように、同一な色を有する蛍光体層で形成されるのが好ましい。
【００３９】
本実施例では、実質的に一つの放電セル３８の両側に可視光を放出させることができる蛍光体層１９、２９が形成されるので、輝度を向上させることができる。しかし、本発明はこれに限定されず、蛍光体層が背面基板１０側または前面基板２０側に一つだけ形成されることもでき、これも本発明の範囲に属する。
【００４０】
この時、第１蛍光体層１９は、背面基板１０上に誘電層（図示せず）を形成して背面板隔壁１６を形成した後、前記誘電層上に蛍光体を塗布することによって形成されることができる。第２蛍光体層２９は、前面基板２０上に誘電層（図示せず）を形成して前面板隔壁２６を形成した後、前記誘電層上に蛍光体を塗布することによって形成されることができる。または、図面に示されているように、背面基板１０及び前面基板２０に誘電層を形成せずに背面基板１０及び前面基板２０上に背面板隔壁１６及び前面板隔壁２６を形成して、蛍光体を塗布することによって形成されることもできる。
【００４１】
または、背面基板１０及び前面基板２０の各々を各放電セル３８の形状に対応するようにエッチングした後、その上に蛍光体を塗布して第１蛍光体層１９及び第２蛍光体層２９を各々形成することもできる。この時、背面板隔壁及び背面基板が同一な材料の一体構造からなり、前面板隔壁及び前面基板が同一な材料の一体構造からなる。
【００４２】
そして、背面板隔壁１６及び前面板隔壁２６の間には誘電層３４、３５が位置し、このような誘電層３４、３５の内部に第１電極３１及び第２電極３２が形成される。このような誘電層３４、３５は、各電極３１、３２を絶縁させると同時に、放電による壁電荷を積む役割を果たす。
【００４３】
第１電極３１及び第２電極３２は、各放電セル３８の両側でアドレス電極１２と交差する方向に沿って長く連結される帯形状からなる。このような第１電極３１及び第２電極３２は、第１隔壁部材１６ａ及び第３隔壁部材２６ａの間を横切りながら、第２隔壁部材１６ｂ及び第４隔壁部材２６ｂの間にこれと平行に配置される。
【００４４】
図２を参照すれば、本実施例で第１電極３１を長さ方向に垂直な平面で切断した断面は、基板１０、２０面に平行な方向への長さ（ｗ１）より基板１０、２０面に垂直な方向への長さ（ｈ１）がより長く形成されることができる。そして、第２電極３２を長さ方向に垂直な平面で切断した断面も、基板面に平行な方向への長さ（ｗ２）より基板面１０、２０に垂直な方向への長さ（ｈ２）がより長く形成されることができる。したがって、電極３１、３２の間により容易に対向放電を誘導することができ、これにより、高い発光効率を実現することができる。
【００４５】
本実施例で、第１電極３１及び第２電極３２は、実質的に表示に寄与する程度が小さい放電セル３８の側方に位置するので、伝導性に優れた金属電極からなることができる。
【００４６】
この時、第１電極３１は、アドレス電極１２と共にアドレス期間でスキャンパルス電圧の印加を受けて点灯される放電セル３８を選択する役割を果たし、第２電極３２は、第１電極３１と共に維持期間の放電に関与して画面を表示する役割を果たす。しかし、各電極は、印加される信号電圧によってその役割を異にすることができるので、本発明はこれに限定されない。
【００４７】
前記第１電極３１、第２電極３２、及びこれらの外面を囲む誘電層３４、３５は、ＴＦＣＳ（Thick Film Ceramic Sheet）法で製作することができる。つまり、第１電極３１及び第２電極３２が内部に形成された誘電層３４、３５を別々に製作した後、背面板隔壁１６及び前面板隔壁２６の間に結合することができる。
【００４８】
そして、誘電層３４、３５の表面にＭｇＯ保護膜３６が形成されることができる。この時、ＭｇＯ保護膜３６は、放電セル３８の内部の放電空間で起こるプラズマ放電に露出される部分に形成されることができる。本実施例で、第１電極３１及び第２電極３２は、両基板１０、２０の間で実質的に表示に寄与する程度が小さい部分に位置するので、これら第１電極３１及び第２電極３２を覆っている誘電層３４に塗布されるＭｇＯ保護膜３６は、可視光非透過性特性を有するＭｇＯからなることができる。この可視光非透過性ＭｇＯは、可視光透過性ＭｇＯに比べてはるかに高い二次電子放出係数（secondary electron emission coefficient）値を有し、これにより、放電開始電圧をより低減させることができる。
【００４９】
以下、図３を参照して、アドレス電極１２についてより詳細に説明する。図３は本発明の第１実施例によるプラズマディスプレイパネルを示した部分平面図である。
【００５０】
図３を参照すれば、本実施例で、アドレス電極１２は、各放電セル３８に対応して形成される第１部分１２ａ、及びこのような第１部分１２ａの間でこれらを電気的に連結する第２部分１２ｂを含む。このような第１部分１２ａの平面の形状は放電セル３８の形状によって多様に形成されることができ、本実施例では、一例として四角形からなることを例示した。
【００５１】
この時、第１部分１２ａ及び第２部分１２ｂは、幅が互いに異なるように形成される。より具体的には、第１部分１２ａの幅であるＷＡ１が第２部分１２ｂの幅であるＷＡ２より大きく形成されることができる。ここで、第１部分１２ａ及び第２部分１２ｂの幅はアドレス電極１２の長さ方向と交差する方向（図面のｘ軸方向）に沿って測定した長さをいう。
【００５２】
アドレス電極１２の第１部分１２ａは、各放電セル３８の放電空間に対応して形成され、第１電極３１との間でアドレス放電が起こるように誘導する部分である。したがって、本実施例では、このような第１部分１２ａの幅ＷＡ１を広げることによって、アドレス放電の放電開始電圧を低減させて、第１電極３１及び第２電極３２を囲む誘電層３４、３５に多量の壁電荷が蓄積されるようにする。
【００５３】
そして、アドレス放電に寄与する程度が少ない第２部分１２ｂの幅ＷＡ２を減少させることによって、アドレス電極１２に流れる電流を低減させることができる。これにより、消費電力を低減させることができる。
【００５４】
第１基板１０及び第２基板２０の前面から見る時、アドレス電極の第１部分１２ａ及び第１電極３１は第１間隔（ｄ１）をおいて離隔し、前記第１部分１２ａ及び第２電極３２は第２間隔（ｄ２）をおいて離隔する。この時、第１部分１２ａはアドレス放電に関与する部分であるので、第２間隔（ｄ２）より第１間隔（ｄ１）をより小さく、つまり第１部分１２ａを第１電極３１に近く形成することによって、アドレス放電の放電開始電圧を効果的に低減させることができる。または、第１間隔（ｄ１）及び第２間隔（ｄ２）が実質的に同一に形成されることができる。
【００５５】
一方、図３に示されているように、本実施例で、第１電極３１及び第２電極３２は、各放電セル３８に一対が配置され、前記アドレス電極１２と平行な方向（図面のｙ軸方向）に隣接した一対の放電セル３８に対して、第１電極３１−第２電極３２及び第１電極３１−第２電極３２の配列が順次に繰り返されることができる。
【００５６】
以下、本発明の第１実施例の変形例について詳細に説明する。第１実施例の変形例は、第１実施例と基本的な構造は同一であるので、第１実施例と同一な構成要素には同一な参照符号を使用する。
【００５７】
図４は本発明の第１実施例の第１変形例を示した部分断面図である。
【００５８】
図４を参照すれば、本変形例では、背面板隔壁４１及び前面板隔壁４２がアドレス電極１２と平行な方向（図面のｙ軸方向）に長く連結されて形成される帯形状からなる。第１電極３１及び第２電極３２は、このような背面板隔壁４１及び前面板隔壁４２の間を横切りながら、これと交差する方向（図面のｘ軸方向）に沿って形成される。本発明では、この他にも多様な隔壁の構造が適用される。
【００５９】
図５は本発明の第１実施例の第２変形例を示した部分平面図である。
【００６０】
図５を参照すれば、本変形例では、第１電極４３及び第２電極４４が各放電セル３８に一対が配置され、前記アドレス電極１２と平行な方向（図面のｙ軸方向）に隣接した一対の放電セル３８に対して、第１電極４３−第２電極４４及び第２電極４４−第２電極４３の配列が順次に繰り返されることができる。
【００６１】
これは、各放電セル３８に対応する第１電極４３または第２電極４４が、前記隣接した放電セル３８に対応する第１電極４３または第２電極４４と誘電層内で離隔形成されて互いに絶縁されて形成されるために可能である。つまり、マトリックス形態の誘電層３４、３５によって、隣接した放電セル３８とのクロストーク（cross talk）が防止されるためである。
【００６２】
図６は本発明の第１実施例の第３変形例を示した部分平面図である。
【００６３】
図６を参照すれば、本変形例では、アドレス電極１２と平行な方向（図面のｙ軸方向）で隣接した一対の放電セル３８で第２電極４６が共有されて形成される。したがって、前記一対の放電セル３８で、電極は、第１電極４５−第２電極４６−第１電極４５の配列を有する。これにより、維持電極として機能する第２電極４６は、前記一対の放電セルの維持放電に共通で関与する。
【００６４】
図７は本発明の第１実施例の第４変形例を示した部分断面図である。
【００６５】
図７を参照すれば、本変形例では、前面基板２０に隣接して黒色層４７が形成される。黒色層４７は、前面基板２０の表面に形成されたり、前面基板２０上に形成される誘電層（図示せず）上に形成されることもできる。
【００６６】
前面基板２０側に黒色層４７を形成することによって、外部の光が反射されるのを防止することができ、これにより、明室コントラストを向上させることができる。この時、黒色層４７を第１電極３１及び第２電極３２が形成される部分に対応して形成することによって、放電によって発生した可視光を遮断せずに明室コントラストを向上させることができる。
【００６７】
図８は本発明の第１実施例の第５変形例を示した部分断面図である。
【００６８】
図８を参照すれば、本変形例では、前面板隔壁４８及び背面板隔壁１６をなす隔壁部材のうちの少なくともいずれか一つを着色することによって、明室コントラストを向上させる。一例として、前面板隔壁４８が黒色顔料などで着色される。黒色顔料は、一例としてＦｅＯ、ＲｕＯ２、ＴｉＯ、Ｔｉ３Ｏ５、Ｎｉ２Ｏ３、ＣｒＯ２、ＭｎＯ２、Ｍｎ２Ｏ３、Ｍｏ２Ｏ３、Ｆｅ３Ｏ４のうちのいずれか一つ、またはこれらの組み合わせからなることができる。
【００６９】
以下、本発明の第２実施例によるプラズマディスプレイパネルについて詳細に説明する。本発明の第２実施例は、第１実施例と基本的な構造が同一または類似しているので、第１実施例と同一または類似した構成要素については詳細な説明を省略した。
【００７０】
図９は本発明の第２実施例によるプラズマディスプレイパネルを示した部分分解斜視図であり、図１０は図９のプラズマディスプレイパネルを結合した状態でＸ-Ｘ線に沿って切断した部分断面図である。
【００７１】
図９及び図１０を参照すれば、本実施例による背面板隔壁１１６は、第２隔壁部材１１６ｂの間で背面基板１１０側に形成される放電セル１１８を二つの放電空間１１８ａ、１１８ｂに区画する第５隔壁部材１１６ｃを含む。
【００７２】
つまり、本実施例で、背面板隔壁１１６は、アドレス電極１１２と平行な方向（図面のｙ軸方向）に形成される第１隔壁部材１１６ａ、この第１隔壁部材１１６ａと交差する方向（図面のｘ軸方向）に形成され、背面基板１１０側に形成される各放電セル１１８を独立的な空間に区画する第２隔壁部材１１６ｂ、第２隔壁部材１１６ｂの間でこれと平行な方向（図面のｘ軸方向）に形成され、前記放電セル１１８を二つの放電空間１１８ａ、１１８ｂに区画する第５隔壁部材１１６ｃを含む。
【００７３】
前面板隔壁１２６は、第１隔壁部材１１６ａと対応する形状からなる第３隔壁部材１２６ａ、第２隔壁部材１２６ａと対応する形状からなる第４隔壁部材１２６ｂを含み、前記放電セル１１８に対応するように前面基板１２０側に放電セル１２８を形成する。
【００７４】
前記背面板隔壁１１６によって区画される放電セル１１８及び前面板隔壁１２６によって区画される放電セル１２８が実質的に一つの放電セル１３８をなすようになる。
【００７５】
そして、前面板隔壁１１６及び背面板隔壁１２６の間にはマトリックス形態の誘電層１３４、１３５が配置され、このような誘電層１３４、１３５内に各放電セル１３８の放電に関与する一対の第１電極１３１及び一つの第２電極１３２が形成される。そして、誘電層１３４、１３５の表面にＭｇＯ保護膜１３６が形成されることができる。
【００７６】
この時、第２電極１３２は、アドレス電極１１２と共にアドレス期間でスキャンパルス電圧の印加を受けて点灯される放電セル１３８を選択する役割を果たし、第１電極１３１は、第２電極１３２と共に維持期間の放電に関与して画面を表示する役割を果たす。しかし、各電極は印加される信号電圧によってその役割を異にすることができるので、本発明はこれに限定されない。
【００７７】
前記第１電極１３１は、各放電セル１３８の両側にアドレス電極１１２と交差する方向（図面のｘ軸方向）に連結されて形成される。このような第１電極１３１は、第２隔壁部材１１６ｂ及び第４隔壁部材１２６ｂの間でこれらの各々に一つずつ対応して第２隔壁部材１１６ｂ上を横切るように配置されるので、アドレス電極１１２と平行な方向（図面のｙ軸方向）に隣接した放電セル１３８を区画する基準となることができる。
【００７８】
第２電極１３２は、このような一対の第１電極１３１の間で、つまり各放電セル１３８を横切りながら、第１電極１３１と平行な方向（図面のｘ軸方向）に沿って長く形成される。これにより、各放電セル１３８において、第１電極１３１及び第２電極１３２が互いの間に空間をおいて互いに対向して形成される。
【００７９】
本実施例では、第１電極１３１及び第２電極１３２の間で起こる維持放電の放電ギャップが減少して、放電開始電圧をより低減させることができる。つまり、放電セル１３８を横切る第２電極１３２及びその両側に配置された一対の第１電極１３１の間で放電を起こすので、放電維持に関与する第１電極１３１及び第２電極１３２の間の放電ギャップが半分近く減少するようになる。したがって、低い放電開始電圧でも駆動することができる。
【００８０】
本実施例で、第１電極１３１は、実質的に表示に寄与する程度が小さい放電セル１３８の側方に形成されるので、伝導性に優れた金属電極からなることができる。そして、第２電極１３２も伝導性に優れた金属電極からなることができる。第１電極１３１及び第２電極１３２が不透明な金属電極で形成されることによって、明室コントラストを向上させることができる。
【００８１】
このような第１電極１３１及び第２電極１３２の構造については、図１１及び図１２を参照してより詳細に説明する。図１１は本発明の第２実施例によるプラズマディスプレイパネルを示した部分平面図であり、図１２は本発明の第２実施例によるプラズマディスプレイパネルにおける一つの放電セルに対応する電極の構造を示した部分平面図である。
【００８２】
本実施例で、背面基板１１０に一方向（図面のｙ軸方向）に沿って形成されるアドレス電極１１２は、均一な線幅を有して形成される。
【００８３】
そして、図１１を参照すれば、本実施例で、第１電極１３１は、アドレス電極１１２と交差する方向（図面のｘ軸方向）に沿って形成される第１部分１３１ａ、及びこのような第１部分１３１ａから第２電極１３２に向かって突出する第２部分１３１ｂを含む。この時、第１部分１３１ａは第２隔壁部材１１６ｂ及び第４隔壁部材１２６ｂの間に位置し、第２部分１３１ｂは第１隔壁部材１１６ａ及び第３隔壁部材１１６ｂの間に位置する。
【００８４】
本実施例で、第１部分１３１ａは、アドレス電極１１２と平行な方向（図面のｙ軸方向）に隣接した一対の放電セル１３８に共有され、第２部分１３１ｂは、アドレス電極１１２と交差する方向（図面のｘ軸方向）に隣接した一対の放電セル１３８に共有される。この時、第２部分１３１ｂは均一な線幅を有して形成される。
【００８５】
一対の第１電極１３１の第２部分１３１ｂの各々は、放電セル１３８の両側に形成され、各放電セル１３８で互いに対向するように形成されることができる。このような構造の第１電極１３１は、各放電セル１３８の三側面を囲んで形成されることができる。つまり、各放電セル１３８をなす二つの放電空間は、三側面に第１電極１３１が配置され、他の一側面に第２電極１３２が配置されることによって、第１電極１３１及び第２電極１３２の間に発生する維持放電の放電空間がより効率的に使用されることができる。
【００８６】
このような構造によって、図１２に示されているように、第１電極１３１及び第２電極１３２の間の距離をアドレス電極１１２と平行な方向（図面のｙ軸方向）に測定した長さは、前記放電セル１３８の両側より放電セル１３８の中心部でより大きく形成される。つまり、第１電極１３１及び第２電極１３２は、放電セル１３８の両側周縁でショートギャップ（short gap）（Ｇ１）を有し、放電セル１３８の中心部でロングギャップ（long gap）Ｇ２）を有する。
【００８７】
したがって、第１電極１３１及び第２電極１３２の間で起こる維持放電は、放電セル１３８の周縁のショートギャップ（Ｇ１）で開始され、放電セル１３８の中心部のロングギャップ（Ｇ２）で拡散する。維持放電がショートギャップ（Ｇ１）で開始されて放電開始電圧を低下させながら主放電は相対的に長い放電距離の長さを有するロングギャップ（Ｇ２）で維持されるので、放電効率を向上させることができる。
【００８８】
また、本実施例では、放電開始電圧を効果的に低減させることができるので、高い放電開始電圧ためにＸｅガスの分圧を増加させることができなかった従来の問題を解決することができる。つまり、本実施例では、Ｘｅガス分圧を増加させることができ、これにより、放電効率を向上させることができる。
【００８９】
以下、本発明の第３実施例及び第５実施例について詳細に説明する。第３実施例及び第５実施例は、第２実施例と基本的な構造が同一または類似した実施例である。
【００９０】
図１３は本発明の第３実施例によるプラズマディスプレイパネルにおける一つの放電セルに対応する電極の構造を示した部分平面図である。
【００９１】
第１電極１４１は、各放電セル１３８の両側でアドレス電極１１２と交差する方向（図面のｘ軸方向）に連結されて形成され、このような第１電極１４１の間に放電セル１３８を貫通して第２電極１４２が形成される。
【００９２】
この時、第１電極１４１の各々は、アドレス電極１１２と交差する方向（図面のｘ軸方向）に沿って形成される第１部分１４１ａ、及びアドレス電極１１２と平行な方向（図面のｙ軸方向）に沿って放電セル１３８の両側で一対が互いに対向して形成される第２部分１４１ｂを含む。これにより、各々の第１電極１４１は、各放電セル１３８の三側面を囲んで形成されて、放電空間をより効率的に使用することができる。
【００９３】
図１３を参照すれば、本実施例では、第１電極１４１の第２部分１４１ｂはその端部から第１部分１４１ａに向かって線幅が漸進的に大きくなり、第２電極１３２に対向する対向面が曲面からなる。第１電極１３１がこのような曲面を有することによって、放電の拡散をより容易にすることができる。
【００９４】
本実施例では、第１電極１４１及び第２電極１４２の間で起こる維持放電が、放電セル１３８の周縁のショートギャップで開始され、中心部のロングギャップで拡散することによって、放電開始電圧を低減させて、効率を向上させることができる。
【００９５】
図１４は本発明の第４実施例によるプラズマディスプレイパネルにおける一つの放電セルに対応する電極の構造を示した部分平面図である。
【００９６】
第１電極１５１は、各放電セル１３８の両側でアドレス電極１１２と交差する方向（図面のｘ軸方向）に長く連結されて形成され、このような第１電極１５１の間に放電セル１３８を貫通して第２電極１５２が形成される。第１電極１５１及び第２電極１５２が互いに対向して形成されることによって、維持放電が対向放電に誘導されて、放電開始電圧を低減させることができる。
【００９７】
この時、第１電極１５１の各々は、アドレス電極１１２と交差する方向（図面のｘ軸方向）に沿って形成される第１部分１５１ａ、及びアドレス電極１１２と平行な方向（図面のｙ軸方向）に沿って放電セル１３８の両側で一対が互いに対向して形成される第２部分１５１ｂを含む。これにより、各々の第１電極１５１は各放電セル１３８の三側面を囲んで形成されて、放電空間をより効率的に使用することができる。
【００９８】
図１４を参照すれば、本実施例では、第２電極１５２には第１電極１５１の第１部分１５１ａ各々に向かって突出する突出部１５２ａが形成される。第２電極１５２の突出部１５２ａは、各放電セル１３８で一対が対向して形成される第２部分１５１ｂの間に各放電セル１３８の中心部に対応して形成され、このような各突出部１５２ａの平面の形状は四角形である。突出部１５２ａの平面の形状が四角形からなることによって、第１電極１５１及び第２電極１５２の間でショートギャップをなす部分を広く形成することができる。
【００９９】
本実施例では、第２電極１５２のこのような突出部１５２ａ及び放電セル１３８の周縁に位置した第１電極１５１部分の間のショートギャップで維持放電が開始されるので、放電開始電圧を低減させることができる。
【０１００】
図１５は本発明の第５実施例によるプラズマディスプレイパネルにおける一つの放電セルに対応する電極の構造を示した部分平面図である。
【０１０１】
図１５を参照すれば、本実施例では、第２電極１６２には第１電極１６１の第１部分１６１ａ各々に向かって突出する突出部１６２ａが形成される。第２電極１６２の突出部１６２ａは、各放電セル１３８で一対が対向して形成される第２部分１６１ｂの間に形成されて、各放電セル１３８の中心部に対応して形成され、このような各突出部１６２ａの平面の形状は半円形または楕円形である。
【０１０２】
以上で本発明の好ましい実施例について説明したが、本発明はこれに限定されず、特許請求の範囲、発明の詳細な説明、及び添付した図面の範囲内で多様に変形または変更して実施することが可能であり、これも当然本発明の範囲に属する。
【図面の簡単な説明】
【０１０３】
【図１】本発明の第１実施例によるプラズマディスプレイパネルを示した部分分解斜視図である。
【図２】図１のプラズマディスプレイパネルを結合した状態でII-II線に沿って切断した部分断面図である。
【図３】本発明の第１実施例によるプラズマディスプレイパネルを示した部分平面図である。
【図４】本発明の第１実施例の第１変形例を示した部分断面図である。
【図５】本発明の第１実施例の第２変形例を示した部分平面図である。
【図６】本発明の第１実施例の第３変形例を示した部分平面図である。
【図７】本発明の第１実施例の第４変形例を示した部分断面図である。
【図８】本発明の第１実施例の第５変形例を示した部分断面図である。
【図９】本発明の第２実施例によるプラズマディスプレイパネルを示した部分分解斜視図である。
【図１０】図９のプラズマディスプレイパネルを結合した状態でＸ-Ｘ線に沿って切断した部分断面図である。
【図１１】本発明の第２実施例によるプラズマディスプレイパネルを示した部分平面図である。
【図１２】本発明の第２実施例によるプラズマディスプレイパネルにおける一つの放電セルに対応する電極の構造を示した部分平面図である。
【図１３】本発明の第３実施例によるプラズマディスプレイパネルにおける一つの放電セルに対応する電極の構造を示した部分平面図である。
【図１４】本発明の第４実施例によるプラズマディスプレイパネルにおける一つの放電セルに対応する電極の構造を示した部分平面図である。
【図１５】本発明の第５実施例によるプラズマディスプレイパネルにおける一つの放電セルに対応する電極構造を示した部分平面図である。
【符号の説明】
【０１０４】
１０、１１０  第１基板（背面基板）
１２、１１２  アドレス電極
１４、３４、３５、１１４、１３４、１３５  誘電層
１６、１１６  第１隔壁層（背面板隔壁）
１９、２９、１１９、１２９  蛍光体層
２０、１２０  第２基板（前面基板）
２６、１２６  第２隔壁層（前面板隔壁）
３１、１３１  第１電極
３２、１３２  第２電極
３６、１３６  保護膜
１８、２８、３８、１１８、１２８、１３８  放電セル
【図１】
2006147530.tif 000003
【図２】
2006147530.tif 000004
【図３】
2006147530.tif 000005
【図４】
2006147530.tif 000006
【図５】
2006147530.tif 000007
【図６】
2006147530.tif 000008
【図７】
2006147530.tif 000009
【図８】
2006147530.tif 000010
【図９】
2006147530.tif 000011
【図１０】
2006147530.tif 000012
【図１１】
2006147530.tif 000013
【図１２】
2006147530.tif 000014
【図１３】
2006147530.tif 000015
【図１４】
2006147530.tif 000016
【図１５】
2006147530.tif 000017